(57)【要約】【課題】建具のパネル間口溝内に補強部材を配置することなく、耐火性を向上させる。【解決手段】  パネル間口を有する上下の横材及び左右の竪材の内周にパネル体を備えてなり、下の横材のパネル間口を除く上の横材及び左右の竪材のパネル間口内に加熱により膨張する加熱膨張材が配置されている。また、下の横材のパネル間口内には補強部材が配置されておらず、パネル体は、下の横材のパネル間口に配置された熱により溶融するガラスライナーにより支持されている。【選択図】図２
2019152091.tif 000002
【特許請求の範囲】
【請求項１】
パネル間口を有する上下の横材及び左右の竪材の内周にパネル体を備えてなり、
下の横材のパネル間口を除く上の横材及び左右の竪材のパネル間口内に加熱により膨張する加熱膨張材が配置されており、
下の横材のパネル間口内に補強部材が配置されておらず、パネル体は、下の横材のパネル間口に配置された熱により溶融するガラスライナーにより支持されている
建具。
【発明の詳細な説明】
【技術分野】
【０００１】
本発明は、躯体開口部に配置される防火建具に関する。
【背景技術】
【０００２】
建物の躯体開口部に配置される建具には、耐火性能が求められている。
そして、近年、アルミの押出形材からなる枠材もしくは障子の框材を四周に組んでなる枠部材の内周にパネル体を配置してなる建具において、枠材もしくは框材のパネル間口内にスチール等からなる補強部材を配置して耐火性能を向上させた建具が公知となっている（特許文献１）。
【先行技術文献】
【特許文献】
【０００３】
【特許文献１】特開２０１６−１８０２６９公報
【発明の概要】
【発明が解決しようとする課題】
【０００４】
前記特許文献１の建具は、枠材もしくは框材のパネル間口内にスチール等の長尺の補強部材を配置することで耐火性能を向上させることはできるが、補強部材を配置する分建具の重量が増すことになる。また、断面略Ｕ字状や断面略Ｌ字状の補強部材をガラス間口溝内に配置するために製造工程が増加することになる。
【０００５】
本発明は、上記の事情を鑑みたものであり、アルミの押出形材からなる枠材もしくは障子の框材を四周に組んでなる枠部材の内周にパネル体を配置してなる建具において、できるだけパネル間口内に補強部材を配置することなく、耐火性を向上させることを目的とする。
【課題を解決するための手段】
【０００６】
本発明の一実施形態は、パネル間口を有する上下の横材及び左右の竪材の内周にパネル体を備えてなり、下の横材のパネル間口を除く上の横材及び左右の竪材のパネル間口内に加熱により膨張する加熱膨張材が配置されており、下の横材のパネル間口内に補強部材が配置されておらず、パネル体は、下の横材のパネル間口に配置された熱により溶融するガラスライナーにより支持されている建具である。
【発明の効果】
【０００７】
本発明により、建具の重量増加や製造工程の増加を抑制しながら、耐火性を向上させることができる。
【図面の簡単な説明】
【０００８】
【図１】本発明の一実施形態の建具の外観姿図であり、（ａ）は全体の外観姿図、（ｂ）は障子２の外観姿図である。
【図２】本発明の一（第１の）実施形態の建具が備える障子の断面図であり、（ａ）は図１（ｂ）におけるｘ１−ｘ１縦断面図、（ｂ）は図１（ｂ）におけるｙ１−ｙ１横断面図である。
【図３】本発明の他（第２）の実施形態の建具が備える障子の断面図であり、（ａ）は第２の実施形態の建具の図１（ｂ）におけるｘ１−ｘ１縦断面図、（ｂ）は図１（ｂ）におけるｙ１−ｙ１横断面図、（ｃ）は図１（ｂ）におけるｙ１−ｙ１横断面図の他の例である。
【図４】本発明の他（第３）の実施形態の建具が備える障子の断面図であり、（ａ）は図１（ｂ）におけるｘ１−ｘ１縦断面図、（ｂ）は図１（ｂ）におけるｙ１−ｙ１横断面図である。
【図５】本発明の他（第４）の実施形態の建具が備える障子の断面図であり、（ａ）は図１（ｂ）におけるｘ１−ｘ１縦断面図、（ｂ）は図１（ｂ）におけるｙ１−ｙ１横断面図である。
【図６】本発明の他（第５）の実施形態の建具が備える建具の断面図であり、（ａ）は図１（ｂ）におけるｘ１−ｘ１に相当の縦断面図、（ｂ）は図１（ｂ）におけるｙ１−ｙ１に相当の横断面図である。
【図７】本発明の他（第５）の実施形態の建具が備える外れ止め金具及び外れ止め金具を右竪枠に取り付ける際の説明図である。
【発明を実施するための形態】
【０００９】
−全体構成−
本発明の一実施形態の建具について、図面を参考に説明する。
本発明の一実施形態の建具は、図１（ａ）に示すように、建物開口部の内周面に配置される枠体１と、枠体１の内側に開閉可能に支持された障子２とを備える。
なお、本実施形態では、枠体１の内側に障子２を縦すべり出し可能に組み付けた縦すべり出し窓の例を用いて説明する。
【００１０】
枠体１は、上、下枠１１，１２及び右，左竪枠１３，１４を四周に枠組みしてなる。
一方、障子２は、図１（ａ），（ｂ）に示すように、上，下框（横材）２１，２２と右，左竪框（竪材）２３，２４を四周に框組して、内周にガラス等のパネル体２５を配置してなる。上框２１及び下框２２は、両端部を右，左竪框２３，２４に対していんろう接合されている。
【００１１】
図２（ａ）に示すように、障子２の上框（横材）２１は、アルミ合金等の金属材料からなり、中空形状の上框本体２１１と、上框本体２１１の室内側内周から下方に延設される室内側壁部２１２ａと、上框本体２１１の室外側内周から下方に延設される室外側壁部２１２ｂと、上框本体２１１の室外側外周から上方に延設される外周壁部２１３を有している。
そして、上框本体２１１の底壁部２１１ａと、室内側壁部２１２ａと、室外側壁部２１２ｂとにより、パネル体２５の上辺が保持されるパネル間口２１２が形成されている。
【００１２】
障子２の下框（横材）２２は、アルミ合金等の金属材料からなり、中空形状の下框本体２２１と、下框本体２２１の室内側内周から上方に延設される室内側壁部２２２ａと、下框本体２２１の室外側内周から上方に延設される室外側壁部２２２ｂと、下框本体２２１の室外側外周から下方に延設される外周壁部２２３を有している。
そして、下框本体２２１の底壁部２２１ａと、室内側壁部２２２ａと、室外側壁部２２２ｂとにより、パネル体２５の下辺が保持されるパネル間口２２２が形成されている。
下框２２のパネル間口２２２の底壁部２２１ａの室外側には、パネル間口２２２内に侵入した結露等の水を排水する排水穴２２１ｂが設けられている。
【００１３】
図２（ｂ）に示すように、障子２の右竪框（竪材）２３は、アルミ合金等の金属材料からなり、中空形状の右竪框本体２３１と、右竪框本体２３１の室内側内周から内周（左）方向に延設される室内側壁部２３２ａと、右竪框本体２３１の室外側内周から内周（左）方向に延設される室外側壁部２３２ｂと、右竪框本体２３１の室外側外周から外周（右）方向に延設される外周壁部２３３を有している。
そして、右竪框本体２３１の底壁部２３１ａと、室内側壁部２３２ａと、室外側壁部２３２ｂとにより、パネル体２５の右（竪）辺が配置されるパネル間口２３２が形成されている。
なお、左竪框２４は、右竪框２３と同様の構成を備えており、ここではその説明を省略する。
【００１４】
パネル体２５は、室内外２枚のガラス等のパネルからなる複層パネルにより形成され、複層パネルの一方（本実施形態では、室外側）のパネル２５１は例えば網入ガラスなどの耐火パネルにより形成されており、他方（本実施形態では、室内側）のパネル２５２は例えば非網入りガラス、フロートガラスや型ガラスおよびLow-Eなどの非耐火パネルにより形成されている。なお、一方のパネル２５１に用いられる耐火パネルは、網入ガラス、耐熱性強化ガラスなど、耐火性を有するガラス等のパネルであればよい。
【００１５】
一方（室外側）のパネル２５１と他方（室内側）のパネル２５２の間には、外周に沿ってスペーサ２５３が配置されており２枚のパネルの間隔を維持すると共に、複層パネルの四周の端縁には、グレイジングチャンネル２６が配置されている。
パネル体（複層パネル）２５は、グレイジングチャンネル２６を介して、上、下框２１，２２および右，左竪框２３，２４の各パネル間口に保持されている。
【００１６】
そして、下框２２のパネル間口２２２内には、補強部材は配置されることなく、ガラスライナー２７が配置されており、ガラスライナー２７によりパネル体（複層パネル）２５が支持されている。
ガラスライナー２７は、通常時には、パネル体（複層パネル）２５の下辺を支持しているが、火災時には熱によって溶融し、パネル体（複層パネル）２５の下辺を下框２２のパネル間口２２２の底壁部２２１ａに向けて落とし込む。
【００１７】
図２ないし図５を参考にして、本発明の第１ないし第４の実施形態の建具について、具体的に説明する。
まず、本発明の第１ないし第４の実施形態の建具は、上框（横材）２１、下框（横材）２２および右、左竪框（竪材）２３，２４の各パネル間口内に、框材より融点の高い材料からなりパネル体２５の端辺を支持する長尺の補強部材が四周にわたって配置されていない点で共通している。
【００１８】
また、本発明の第１ないし第４の実施形態の建具は、パネル体２５が、室外側に耐火パネル２５１を有する複層パネルにより形成されているとともに、パネル体（複層パネル）２５の上辺と右、左竪辺の三辺を保持する上框（横材）２１および右、左竪框（竪材）２３，２４のパネル間口内に、略全長にわたって加熱により膨張する加熱膨張材が配置されており、同下框２２のパネル間口内に加熱膨張材が配置されていない点で共通している。
【００１９】
さらに、本発明の第１ないし第４の実施形態の建具は、下框（横材）２２のパネル間口内に加熱により溶融するガラスライナー２７が配置されており、パネル体２５がガラスライナーにより支持されている点で共通している。
【００２０】
−第１の実施形態−
本発明の第１の実施形態の建具は、図２（ａ）に示すように、障子２の上框２１および右、左竪框２３，２４のパネル間口内の見込壁の室外側に各框材の長手方向に沿って加熱膨張材が配置されている。そして、下框２２のパネル間口２２２内には、パネル体（複層パネル）２５の下辺を支持し、火災時には熱によって溶融するガラスライナー２７が配置されている。
【００２１】
上框２１のパネル間口２１２の底壁部２１１ａの室外側には、下方に開口するホルダー２１１ｂが形成されている。ホルダー２１１ｂは、上框本体２１１の底壁部２１１ａから中空部内に埋設されて形成されており、ホルダー２１１ｂの開口部分が底壁部２１１ａの内周面と同じ面となっている。
【００２２】
上框２１のパネル間口２１２内に配置される加熱膨張材ｆ１は、上框本体２１１の底壁部２１１ａに形成されたホルダー２１１ｂに上框２１の全長に亘って通し込んで配置されており、パネル間口２１２の室外側の見込面において、パネル体（複層パネル）２５の室外側に配置される耐火パネル２５１の上辺小口面に少なくとも一部が対向するように配置される。
【００２３】
また、図２（ｂ）に示すように、右竪框２３のパネル間口２３２の底壁部２３１ａの室外側には、内周方向に開口するホルダー２３１ｂが形成されている。ホルダー２３１ｂは、右竪框本体２３１の底壁部２３１ａから中空部内に埋設されて形成されており、ホルダー２３１ｂの開口部分が底壁部２３１ａの内周面と同じ面となっている。
【００２４】
右竪框２３のパネル間口２３２内に配置される加熱膨張材ｆ３は、右竪框本体２３１の底壁部２３１ａに形成されたホルダー２３１ｂに右竪框２３の全長に亘って通し込んで配置されており、パネル間口２３２の室外側見込み面において、パネル体（複層パネル）２５の室外側に配置される耐火パネル２５１の右竪辺小口面に対して少なくとも一部に対向するように配置される。
なお、左竪框２４のパネル間口内の構成は、右竪框２３とほぼ同様であるので、説明は省略する。
【００２５】
−第２の実施形態−
本発明の第２の実施形態の建具は、図３（ａ）ないし（ｃ）に示すように、右竪框２３（左竪框についても同様である。）のパネル間口２３２内に配置される加熱膨張材ｆ３が、パネル間口２３２を構成する室外側壁部２３２ｂの外周側室内側面（見付面）に配置されている点で、上記第１の実施形態の建具と異なっている。
【００２６】
具体的には、本発明の第２の実施形態の建具は、右竪框２３のパネル間口２３２の室外側壁部２３２ｂの室内側面に、室内側に開口するホルダー２３２ｃが形成されている。室外側壁部２３２ｂに形成されるホルダー２３２ｃの外周側の係止片は、右竪框本体２３１の中空部内に食い込むように底壁部２３１ａに設けられた溝部により形成されている。
【００２７】
そして、右竪框２３のパネル間口２３２内に配置される加熱膨張材ｆ３は、右竪框本体２３１の室外側壁部２３２ｂに形成されたホルダー２３２ｃに右竪框２３の全長に亘って通し込んで配置されており、パネル体（複層パネル）２５の室外側に配置される耐火パネル２５１の右辺室外側面に少なくとも一部が対向するように配置される。
【００２８】
なお、図３（ｂ）に示す例では、右竪框２３の室内側壁部２３２ａの室外側面と室外側壁部２３２ｂの室内側面との間の寸法ｗ１を、右竪框２３にいんろう接合される横框（上框２１もしくは下框２２）の見込み寸法とほぼ同一の寸法としており、見込寸法を小さく形成している。そして、右竪框２３に横框を接合する際に、ホルダー２３２ｃの内周側の係止片（横框に干渉する部分）のみを切除することで、いんろう接合を可能にしている。
【００２９】
また、図３（ｃ）に示す例では、右竪框２３の見込み寸法を大きくし、ホルダー２３２ｃの開口部の室内側面と室内側壁部２３２ａの室外側面との間の寸法ｗ２を、右竪框２３にいんろう接合される右竪框２３の見込み寸法とほぼ同一の寸法としている。
したがって、上框２１（もしくは下框２２）の端面を右竪框２３のパネル間口２３２の底壁部２３１ａに当接させていんろう結合するに際しても、ホルダー２３２ｃを切除する必要がなく、右竪框２３の室外側壁部２３２ｂに形成したホルダー２３２ｃの室内側面を上框２１（もしくは下框２２）の室外側面に当接させていんろう接合することができる。
なお、左竪框２４のパネル間口内に配置される加熱膨張材ｆ４については、右竪框２３の加熱膨張材ｆ３とほぼ同様であるので、説明は省略する。
【００３０】
−第３の実施形態−
本発明の第３の実施形態の建具は、図４（ａ），（ｂ）に示すように、上框２１のパネル間口２１２内に配置される加熱膨張材ｆ１が、パネル間口２１２を構成する室外側壁部２１２ｂの室内側面（見付面）の外周側に配置されている点で、第１の実施形態の建具と異なっている。
【００３１】
具体的には、本発明の第３の実施形態の建具は、上框２１のパネル間口２１２の室外側壁部２１２ｂの室内側面、すなわちパネル間口２１２の室外側壁部２１２ｂの見付面に、室内側に開口するホルダー２１２ｃが形成されている。室外側壁部２１２ｂに形成されるホルダー２１２ｃの外周側の係止部は、上框本体２１１の中空部内に食い込むように底壁部２１１ａ設けられた溝部により形成されている。
【００３２】
そして、上框２１のパネル間口２１２内に配置される加熱膨張材ｆ１は、上框本体２１１の室外側壁部２１２ｂに形成されたホルダー２１２ｃに上框２１の全長に亘って通し込んで配置されており、パネル体（複層パネル）２５の室外側に配置される耐火パネル２５１の上辺室外側面に対して少なくとも一部が対向するように配置される。
【００３３】
−第４の実施形態−
本発明の第４の実施形態の建具は、図５（ａ），（ｂ）に示すように、上框２１のパネル間口２１２内に配置される加熱膨張材ｆ１が、パネル間口２１２を構成する室外側壁部２１２ｂの室内側面（見付面）の外周側に配置されている点、及び、右竪框２３（左竪框についても同様である。）のパネル間口２３２内に配置される加熱膨張材ｆ３が、パネル間口２３２を構成する室外側壁部２３２ｂの外周側室内側面（見付面）に配置されている点で、上記第１の実施形態の建具と異なっている。
【００３４】
具体的には、上框２１のパネル間口２１２内に配置される加熱膨張材ｆ１については、上記第３の実施形態と同様であり、右、左竪框２３，２４のパネル間口２３２内に配置される加熱膨張材ｆ３，ｆ４については、上記第２の実施形態と同様であるので、ここでは説明を省略する。
【００３５】
−第５の実施形態−
第５の実施形態の防火建具は、上枠（横材）３１、下枠（横材）３２及び右，左竪枠（竪材）３３，３４を四周組みしてなる枠体３の内周にガラス等のパネル体３５を配置してなるＦＩＸ窓である。
そして、第５の実施形態の防火建具は上枠（横材）３１、下枠（横材）３２及び右，左竪枠（竪材）３３，３４の各パネル間口内に、枠材より融点の高い材料からなりパネル体３５の端辺を支持する長尺の補強部材が四周にわたって配置されていない点で、第１ないし第４の実施形態の防火建具と共通している。
【００３６】
また、第５の実施形態の防火建具は、パネル体３５が、室外側に耐火パネル３５１を有する複層パネルにより形成されているとともに、パネル体（複層パネル）３５の上辺と右、左竪辺の三辺を保持する上枠（横材）３１および右，左竪枠（竪材）３３，３４のパネル間口内に、略全長にわたって加熱により膨張する加熱膨張材が配置されており、同下枠（横材）３２のパネル間口内に加熱膨張材が配置されていない点で、第１ないし第４の実施形態の防火建具と共通している。
【００３７】
さらに、第５の実施形態の建具は、下枠（横材）３２のパネル間口内に加熱により溶融するガラスライナー３７が配置されており、パネル体３５がガラスライナー３７により支持されている点で、第１ないし第４の実施形態の防火建具と共通している。
【００３８】
以下、図６、図７を参考にして、第５の実施形態の建具について、さらに説明する。
本実施形態の防火建具の各枠材は、室外側の金属枠材と室内側の樹脂枠材を有する複合枠材として形成されている。
【００３９】
上枠（横材）３１は、図６（ａ）に示すように、アルミ合金等の金属材料からなる中空形状の金属上枠材３１１と、樹脂材料からなる中空形状の上押縁３１２と、樹脂材料からなるアングル部材３１３を有している。
金属上枠材３１１は、上枠本体３１１ａと、中空形状の上枠本体３１１ａの室外側内周から下方に延設される室外側壁部３１１ｂと、上枠本体３１１ａの内周壁が室内側に延設されて形成される室内側内周壁３１１ｃと、室内側内周壁３１１ｃの室内側に連設される室内壁部３１１ｄを有しており、金属上枠材３１１の内周側壁が後述するパネル間口の底壁部３１１ｅを構成している。
【００４０】
上押縁３１２は、外周側（上方）に係合部３１２ｂを有している。
アングル部材３１３は、アングル部３１３ａと、アングル部３１３ａの室外側外周面に設けられる係合部３１３ｂを有している。
【００４１】
そして、金属上枠材３１１の室内側内周壁３１１ｃの室内側内周にアングル部材３１３の係合部３１３ｂが係合固定されてアングル部材３１３が固定されるとともに、室内側内周壁３１１ｃとアングル部材３１３に上押縁３１２の係合部３１２ｂが係合されて固定されることで、上枠３１が形成されている。
なお、本実施形態の防火建具は、金属上枠材３１１の室内壁部３１１ｄの室内側面を覆うように、樹脂カバー材３１４が、さらに設けられている。
【００４２】
金属上枠材３１１の底壁部３１１ｅと、室外側壁部３１１ｂと、上押縁３１２とにより、パネル体３５の上辺が保持されるパネル間口３１ａが形成されており、金属上枠材３１１の底壁部３１１ｅには、ガラス受け金具３６が設けられている。なお、ガラス受け金具３６については、後述する。
【００４３】
そして、上枠３１のパネル間口３１ａの室外側壁部３１１ｂの上方室内側面には、加熱膨張材ｆ１１が上枠３１の全長に亘って配置されている。さらに、ガラス受け金具３６の室内側見付部分に加熱膨張材ｆ１２が配置されている。
【００４４】
下枠（横材）３２は、アルミ合金等の金属材料からなる金属下枠材３２１と、樹脂材料からなる下押縁３２２を有している。
金属下枠材３２１は、下枠本体３２１ａと、中空形状の下枠本体３２１ａの室外側内周から上方に延設される室外側壁部３２１ｂと、下枠本体３２１ａの室内側に連設される室内側中空部３２１ｃを有している。
【００４５】
下押縁３２２は、中空形状の下押縁本体３２２ａと、下押縁本体３２２ａの室内側に連設されるアングル部３２２ｂと、下押縁３２２の外周に設けられる係合部３２２ｃを有している。
【００４６】
そして、金属下枠材３２１の室内側中空部３２１ｃの室内側内周に下押縁３１２が係合固定されることで、下枠３１が形成されている。
なお、本実施形態の防火建具は、金属下枠材３２１の室内側中空部３２１ｃの室内側面を覆うように、樹脂カバー材３２４が、さらに設けられている。
【００４７】
下枠本体３２１ａの底壁部３２１ｅと、室外側壁部３２１ｂと、下押縁３２２の下押縁本体３２２ａにより、パネル体３５の下辺が保持されるパネル間口３２ａが形成されており、底壁部３２１ｅの室外側には、パネル間口３２ａ内に侵入した結露等の水を排水する排水穴３２ｂが設けられ、下枠本体３１２ａの中空部に排水経路が形成されている。
【００４８】
下枠３２のパネル間口３２ａ内には、補強部材は配置されることなく、ガラスライナー３７が配置されており、ガラスライナー３７によりパネル体（複層パネル）２５が支持されている。
ガラスライナー３７は、通常時には、パネル体（複層パネル）３５の下辺を支持しているが、火災時には熱によって溶融し、パネル体（複層パネル）３５の下辺を下枠３２のパネル間口３２ａの底壁に向けて落とし込む。
【００４９】
右竪枠（竪材）３３は、図６（ｂ）に示すように、アルミ合金等の金属材料からなる中空形状の金属右竪枠材３３１と、樹脂材料からなる中空形状の右竪押縁３３２と、樹脂材料からなるアングル部材３３３を有している。
金属右竪枠材３３１は、右竪枠本体３３１ａと、右竪枠本体３３１ａの室外側内周から内周（左）方向に延設される室外側壁部３３１ｂと、右竪枠本体３３１ａの室内側内周面に形成される被係合部３３１ｃを有している。
【００５０】
右竪押縁３３２は、外周に係合部３３２ｂを有している。
アングル部材３３３は、アングル部３３３ａと、アングル部３３３ａの室外側外周面に設けられる係合部３３３ｂを有している。
【００５１】
そして、金属右竪枠材３３１の被係合部３３１ｃにアングル部材３３３の係合部３３３ｂが係合されてアングル部材３３３が固定されるとともに、被係合部３３１ｃとアングル部材３３３に右竪押縁３３２の係合部３３２ｂが係合されて右竪押縁３３２が固定されることで、右竪枠３３が形成されている。
【００５２】
金属右竪枠材３３１の右竪枠本体３３１ａと、室外側壁部３３１ｂと、右竪押縁３３２とにより、パネル体３５の右竪辺が保持されるパネル間口３３ａが形成されており、金属右竪枠材３３１の右竪枠本体３３１ａには、ガラス受け金具３６が設けられている。
【００５３】
なお、ガラス受け金具３６は、図７（ａ），（ｂ）に示すように、金属右竪枠材３１１の内周面に固定される固定片部材３６１と、固定片部材３６１に固定されてパネル体３５の室内側面に対向する受け片部材３６２とからなる。
固定片部材３６１は、枠材の内周面に固定される固定片３６１ａと、固定片３６１ａの内周側に対向する被取付片３６１ｂと、固定片３６１ａから内周側に立ち上がる壁片３６１ｃを有しており、受け片部材３６２は、固定片部材３６１に固定される取付片３６２ａと取付片３６２ａから内周側に立ち上がる受け片３６２ｂを有している。受け片３６２ｂの室外側面には、加熱膨張材ｆ３３が取付られている。
【００５４】
そして、図７（ｃ）に示すように、右竪枠３３のパネル間口３３ａの室外側壁部３３１ｂの内周側室内側面には、少なくとも一部がパネル体３５の室外側面に対向するように加熱膨張材ｆ３１が右竪枠３３の全長に亘って配置されており、右竪枠本体３３１ａの室外側内周面には、少なくとも一部がパネル体３５の室外側小口面に対向するように加熱膨張材ｆ３２が右竪枠３３の全長に亘って配置されている。
さらに、ガラス受け金具３６の室内側見付面（受け片３６２ｂ）にパネル体３５の室内側面に対向するように加熱膨張材ｆ３３が配置されている。
なお、左竪枠３４は、右竪框３３と同様の構成を備えており、ここではその説明を省略する
【００５５】
上記第５の実施形態の防火建具を躯体開口部に施工するに際しては、室外上枠材３１１、室外下枠材３２１、左右の室外竪枠材３３１，３４１を四周に組んでなる室外側枠体を躯体開口部に取り付け、取り付けられた室外側枠体に対して、室内側からパネル体３５を嵌め込むことによって施工される。なお、以下の本実施形態の防火建具の施工方法に関する説明においては、右竪枠部分を用いて説明する。
【００５６】
例えば、図７（ｃ）に示すように、躯体開口部に取付けられた金属右竪枠材３３１は、内周にガラス受け金具３６の固定片部材３６１が、固定片３６１ａを右竪枠本体３３１ａネジｂ止め等することで固定されており、樹脂右竪枠材３３２は、まだ取り付けられてはいない。
【００５７】
右竪押縁３３２及びガラス受け金具３６の受け片部材３６２が取り付けられていない金属右竪枠３３１に対して、室内側からパネル体３５が挿入され、パネル体３５の室外側面を金属右竪枠３３１の室外側壁部３３１ｂのグレイジングビードｓ１に当接させる。
その後、ガラス受け金具３６の固定片部材３６１の被取付片３６１ｂと壁片３６１ｃとの間に受け片部材３６２の取付片３６２ａを挿入して固定することで、受け片部材３６２は、受け片３６２ｂがパネル体３５の室内側面に対向するように取り付けられる。
【００５８】
ガラス受け金具３６の受け片部材３６２が取り付けられた後、樹脂右押縁３３２を金属右竪枠３３１に固定し、パネル体３５と樹脂右押縁３３２の間に後付けグレイジングビードｓ２を嵌め込むことでＦＩＸ窓を施工することができる。
【００５９】
−実施形態の建具の効果−
以上、上記第１ないし第５の実施形態の建具においては、以下のような効果を奏することができる。
第１ないし第５の実施形態の建具は、耐火パネルを含むパネル体（複層パネル）を使用した防火建具において、パネル体の上辺と右、左の竪辺の三方の略全長にわたって熱により膨張する加熱膨張材を設けているので、火災時にはパネル体の上辺および左右竪辺の三方を加熱膨張材により塞くことができる。
パネル体の下辺は火災時に溶融するガラスライナーにより支持されているので、火災時にはガラスライナーが溶融することでパネル体２５が自重等により降下してパネル体の下辺が下横材のパネル間口の底壁に接して隙間を塞ぐことができ、パネル間口にパネル体を保持するための補強部材等を設けることなく防火性能を維持することができる。
【００６０】
そして、パネル体の下辺側には加熱膨張材を設けていないので、加熱膨張材の使用料を削減でき、防火性能を維持したままコストダウンを実現できるとともに、下横材のパネル間口に形成される排水穴による排水の障害とならず、防火性能を高めながら排水性を良好に維持することができる。
さらに、パネル体の下辺において、部品を設置するスペースが狭くなることがないため、設計自由度が向上できる。
【００６１】
また、ガラス間口内には、ガラスの端縁を支持する長尺の補強部材を設けないので、より安価に防火性能を向上することができ、建具を軽量に製造することができる。
【００６２】
また、パネル体（複層パネル）の耐火パネルを室外側に配置し、三方の加熱膨張材を、耐火パネルの端縁に向けて膨張させているので、パネル体の室外側で四周が遮蔽され、内外のガラス間で発生する可燃ガスが屋外に流れ出ることを防ぐことができる。このため屋外で発生した炎が、内外のガラス間で発生する可燃ガスに到達することを抑制でき、延焼を抑制できる。
【００６３】
また、火災時に、パネル体の室外側パネル（耐火パネル）が降下することにより、室外側パネル（耐火パネル）の小口面で下横材のパネル間口に形成される排水穴を塞ぎ、排水穴と室内側の空間との連通を遮蔽することができる。
なお、下横材のパネル間口に形成される排水穴を下横材の見付け方向端部もしくは端部近傍に設けることで、竪框に配置した加熱膨張材で下横材の排水穴を塞ぐことができるようにしてもよい。
また、パネル間口の排水穴を下横材の室外側、好ましくは室外側パネル（耐火パネル）の室内側面よりも室外側に配置することで、火災時の耐火パネルが降下した際に耐火パネルの下面によって下横材の排水穴をより確実に塞ぐことができる。
【００６４】
そして、第１、第３及び第５の実施形態の建具に見られるように、右、左竪材のパネル間口内に配置される加熱膨張材ｆ３（ｆ３２），ｆ４（ｆ４２）をパネル間口の見込面（底壁部）に配置することで、火災時の加熱により膨張した加熱膨張材によりパネルの両側面を圧縮するようにパネルを挟持して遮蔽性を向上させることができる。
【００６５】
また、第１及び第２の実施形態の建具に見られるように、上横材のパネル間口内に配置される加熱膨張材をパネル間口の見込面（底壁部）に配置することで、パネル体の自重による降下と合わせてパネル体に対して下方へ押し付ける力を大きくすることができ、パネル体の下面の下横材の底壁への当接を強くすることができる。
特に、第１の実施形態の建具においては、三方全てがそれぞれガラスの小口を押圧して、ガラスを左右だけでなく、上下でも挟持でき遮蔽性を向上できる。
【００６６】
また、第２，第４及び第５の実施形態の建具に見られるように、右、左竪材のパネル間口内に配置される加熱膨張材ｆ３，ｆ４をパネル間口の見付面（室外側壁部）に配置することで、また、第３、第４及び第５の実施形態の建具に見られるように、上横材のパネル間口に配置される加熱膨張材をパネル間口の見付面に配置することで、加熱膨張材が、パネル間口の底壁とパネル体の小口面との間に向けて膨張するので、前記間を確実に塞ぐと共に、充満した膨張材の膨張力により、パネル体を下方に押し付けて、遮蔽性を向上させることができる。
【００６７】
さらに、加熱膨張材を、ホルダーによって配置することによって、ホルダーの開口部から膨張する膨張材の向きが規制されて膨張の方向が安定し、加熱膨張材による確実な閉塞が期待できる。
【００６８】
なお、上記第１ないし第４の実施形態の防火建具においては、パネル間口にホルダーを形成し、加熱膨張材をホルダーによって設定しているが、加熱膨張材はホルダーによって設置されるものに限らない。例えば、第５の実施形態の防火建具のように、加熱膨張材をパネル間口に接着剤等によって貼付けたり、ネジ等により固定してもよい。
また、上記各実施形態の建具においては、複層パネルの室内側に耐火パネルを配置しているが、室内側に耐火パネルを配置した複層パネルを用いてもよい。
また、３枚以上の複層パネルを用いる場合は、見込み方向で室外側端部のみなど、一方側端部のみのパネル一枚のみを高価な耐火パネルとし、残り全てのパネルを比較的安価な非耐火パネルとすることにより、低価格で効果を発揮できて好ましい。
【００６９】
なお、上記各実施形態の建具においては、上、下框及び右、左竪框の全てパネル間口において長尺の補強部材を配置することなく、加熱膨張材によって防火性能を維持することができるものではあるが、下框を除くいずれかの框に例えば多少の補強機能を有する短尺の補助部材等が配置されていてもよい。
また、複層パネルを保持する部材は、グレイジングチャンネルに限るものではなく、パネルの内外をそれぞれ室外ビードと室内ビードで挟持してもよく、または硬化性のコーキングやホットメルトなどの接着剤で接着しながら、パネルを内外で挟持してもよい。若しくはパネルの内外一方をビードで、他方に接着剤を配置してパネルを挟持してもよい。
【００７０】
また、上記実施形態の建具の例は一例であって、本発明の建具は縦すべり出し窓に限定されるものではなく、横材（上下框や上下枠）と竪材（竪框や竪枠）を四周組してその内周にパネル体を配置してなる建具であれば、種々の開閉窓もしくは嵌め殺し窓等の建具の構成として採用することができ、建具の種類は何ら限定されるものではない。
【符号の説明】
【００７１】
１        ：枠体
１１      ：上枠
１２      ：下枠
１３      ：右竪枠
１４      ：左竪枠
２        ：障子
２１      ：上框（横材）
２１２    ：パネル間口
２２      ：下框（横材）
２２２    ：パネル間口
２２      ：下框
２３      ：右竪框（竪材）
２３２    ：パネル間口
２４      ：左竪框（竪材）
２４２    ：パネル間口
２５      ：パネル体
２５１    ：室外側パネル（耐火パネル）
２５２    ：室内側パネル
２７      ：ガラスライナー
３１      ：上枠（横材）
３２      ：下枠（横材）
３３      ：右竪枠（竪材）
３４      ：左竪枠（竪材）
【図１】
2019152091.tif 000003
【図２】
2019152091.tif 000004
【図３】
2019152091.tif 000005
【図４】
2019152091.tif 000006
【図５】
2019152091.tif 000007
【図６】
2019152091.tif 000008
【図７】
2019152091.tif 000009